(57)【要約】【課題】ドアやトレイのような開閉体のレバーにおいても、操作者が手や指の肉を挟んでしまうこと（以下、肉挟み、と称する。）がほとんどない開閉体の取手構造を提供する。【解決手段】給紙トレイ９を引き出し、あるいは給紙部８押し込む操作を行う時、操作者がその手１３でもってロックレバー１１の外方側を下方へ回動させてロックを外して操作するが、ロックレバー１１を押し下げる動作によってロックレバー１１の先端部１１ａが前カバー１０よりも外側へ出るため、操作者の手２０の指先の肉や皮を引き込んでしまい、操作者の手２０や指２１の肉が挟まれて痛めてしまうことにはならない。【選択図】図３
2012208455.tif 000002
【特許請求の範囲】
【請求項１】
開閉体の取手となる開口部位の内側にレバーを配し、該レバーの操作や該レバーの動作により前記開閉体のロックとロック解除とを行う開閉体の取手構造において、
前記開閉体のロック解除時に前記レバーを該ロック解除方向へ引いた際、該レバーの端部が前記開閉体の開口部位の外側へ出てくる構成としてなることを特徴とする開閉体の取手構造。
【請求項２】
請求項１に記載の開閉体の取手構造において、
前記レバーが、前記開口部位の内側で回動可能に支持されており、かつ前記端部が前記開口部から外方へ突出可能に折り曲げて形成してあり、該折り曲げてある端部が前記開閉体のロック解除時に前記開閉体の開口部位の外側へ出てくる構成としてあることを特徴とする開閉体の取手構造。
【請求項３】
請求項１または２に記載の開閉体の取手構造において、
前記一対のレバーの間をリンクさせる部材により連結し、前記一対のレバーを連動可能としてなることを特徴とする開閉体の取手構造。
【請求項４】
開閉体の取手となる開口部位の内側の上下あるいは左右に一対のレバーを配し、該一対のレバーのいずれかの操作や動作により前記開閉体のロックとロック解除とを行う開閉体の取手構造において、
前記開閉体のロック解除時に前記レバーを該ロック解除方向へ引いた際、該レバーの端部が前記開閉体の開口部位の外側へ出てくる構成としてなることを特徴とする開閉体の取手構造。
【請求項５】
請求項４に記載の開閉体の取手構造において、
前記レバーが、前記開口部位の内側で回動可能に支持されており、かつ前記端部が前記開口部から外方へ突出可能に折り曲げて形成してあり、該折り曲げてある端部が前記開閉体のロック解除時に前記開閉体の開口部位の外側へ出てくる構成としてあることを特徴とする開閉体の取手構造。
【請求項６】
請求項４または５に記載の開閉体の取手構造において、
前記一対のレバーの間をリンクさせる部材により連結し、前記一対のレバーを連動可能としてなることを特徴とする開閉体の取手構造。
【請求項７】
請求項１から６のいずれかに記載の開閉体の取手構造を、少なくともひとつのドアあるいはカバーの開閉構造に用いてなることを特徴とする機器。
【請求項８】
画像形成部を備え、請求項１から６のいずれかに記載の開閉体の取手構造を、装置本体の少なくともひとつのドアあるいはカバーの開閉構造に用いてなることを特徴とする画像形成装置。
【請求項９】
画像形成装置の周辺機器であって、請求項１から６のいずれかに記載の開閉体の取手構造を、機器本体の少なくともひとつのドアあるいはカバーの開閉構造に用いてなることを特徴とする画像形成装置の周辺機器。
【発明の詳細な説明】
【技術分野】
【０００１】
本発明は、複写機、プリンタ、ファクシミリ、又は、それらの複合機等の画像形成装置やその周辺機器等の機器に設けられる開閉体の取手構造に関し、詳細には、操作者の指等や、指、手のひら等の皮膚や肉を挟み難くしたものに関する。
【背景技術】
【０００２】
図１は、画像形成システムの一例を示す外観図であり、図の中央に位置する画像形成ユニット１に、大量給紙ユニット２と排紙ユニット３を組み合わせて構成してある。画像形成ユニット１は、図示は省略するが画像形成を行う作像部を内蔵し、外部には、上面の排紙ユニット３寄りの位置に自動原稿給紙装置（ＡＤＦ）４を設け、その右側の大量給紙ユニット２側にトナーボトル収納部５を備えている。また、トナーボトル収納部５の天井面上部には操作用ディスプレイ６がアーム７を介して角度可変に設けてある。画像形成ユニット１の下部には給紙部８を備えている。
【０００３】
このような画像形成システムでは、上述した各種の機器がドアの開閉や、給紙トレイの出し入れ等の操作を伴うので、カバーの開閉やトレイの操作を楽にするため、操作用のレバーを備えている。
【０００４】
図２は、上述のような操作用のレバーの一例とその動作を示す。例えば給紙部８が備えている給紙トレイ９の操作レバーの構造の一例である。図中１０は給紙トレイ９の前カバー、１１が操作用のロックレバーである。ロックレバー１１はピン１２の位置で給紙トレイ９の図示せぬトレイ本体の壁等に取り付けてあり、そのためロックレバー１１はピン１２の位置を中心に図の上下方向に回動可能となっている。
【０００５】
この例では、給紙部は８から給紙トレイ９を引き出し、あるいは給紙部８押し込む操作を行う時、操作者がその手１３でもってロックレバー１１の外方側（図２では右側）を下方へ回動させ、図示しないロックを外し、操作するようになっている。
【０００６】
なお、画像形成ユニット１の前ドア１４の取手１５、大量給紙ユニット２の給紙段１６操作用の取手１７、排紙ユニット３の前ドア１８の取手１９なども、縦横が異なったりするものの、基本的な構造としては同様のものである。
【発明の概要】
【発明が解決しようとする課題】
【０００７】
前記の構造では、図２中の矢印Aで示した部分で操作者の手２０の指先の肉や皮を、ロックレバー１１を押し下げる動作によってロックレバー１１と前カバー１０の隙間に引き込んでしまい、操作者の手２０や指２１の肉が挟まれて痛めてしまう可能性がある。また、痛みを感じるだけであれば不快な思いをするだけであるが、怪我をしてしまうこともあり、これを避け得る構造が望まれているが、本願発明者の知るところでは満足できる構造例が提案されていない。
【０００８】
特許文献１には、支柱と取手の間に手を挟むことがない防音壁の開閉扉を提供するために、開閉扉の枠体に、断面Ｈ形の支柱のフランジに係止して、前記フランジと引き手ハンドルとの間隔を規制する突起を設けているため、隣り合う支柱４のそれぞれのフランジ間に開閉扉Ｐの左右縦枠材を挿入し設置する時に、前記突起により開閉扉が偏らないようフランジに係止させ位置決めをすることができるので、支柱と開閉扉の引き手ハンドルとの間隔を一定以上に保つことができ、開閉扉の利用者が移動扉を閉める際に、支柱と引き手ハンドルとの間に手を挟むことをなくすことができる、とする技術が開示されているが、いわゆる２枚建の引き戸における構造であり、画像形成装置や、その周辺機器などにはあまり向いていない構造と言えるものとなっている。
【０００９】
本発明は、このような問題点にかんがみてなしたものであり、操作者がたとえ不用意に操作しても、手や指先の肉が挟まれにくい、ドアやトレイのような開閉体の取手構造、及びこの構造を用いた機器、画像形成装置を提供することを目的とする。
【課題を解決するための手段】
【００１０】
本発明の請求項１に係る開閉体の取手構造は、開閉体の取手となる開口部位の内側にレバーを配し、該レバーの操作や該レバーの動作により前記開閉体のロックとロック解除とを行う開閉体の取手構造において、前記開閉体のロック解除時に前記レバーを該ロック解除方向へ引いた際、該レバーの端部が前記開閉体の開口部位の外側へ出てくる構成としてなることを特徴とする。
【００１１】
同請求項２に係るものは、請求項１に記載の開閉体の取手構造において、前記レバーが、前記開口部位の内側で回動可能に支持されており、かつ前記端部が前記開口部から外方へ突出可能に折り曲げて形成してあり、該折り曲げてある端部が前記開閉体のロック解除時に前記開閉体の開口部位の外側へ出てくる構成としてあることを特徴とする。
【００１２】
同請求項３に係るものは、請求項１または２に記載の開閉体の取手構造において、前記一対のレバーの間をリンクさせる部材により連結し、前記一対のレバーを連動可能としてなることを特徴とする。
【００１３】
同請求項４に係るものは、開閉体の取手となる開口部位の内側の上下あるいは左右に一対のレバーを配し、該一対のレバーのいずれかの操作や動作により前記開閉体のロックとロック解除とを行う開閉体の取手構造において、前記開閉体のロック解除時に前記レバーを該ロック解除方向へ引いた際、該レバーの端部が前記開閉体の開口部位の外側へ出てくる構成としてなることを特徴とする。
【００１４】
同請求項５に係るものは、請求項４に記載の開閉体の取手構造において、前記レバーが、前記開口部位の内側で回動可能に支持されており、かつ前記端部が前記開口部から外方へ突出可能に折り曲げて形成してあり、該折り曲げてある端部が前記開閉体のロック解除時に前記開閉体の開口部位の外側へ出てくる構成としてあることを特徴とする。
【００１５】
同請求項６に係るものは、請求項４または５に記載の開閉体の取手構造において、前記一対のレバーの間をリンクさせる部材により連結し、前記一対のレバーを連動可能としてなることを特徴とする。
【００１６】
同請求項７に係る機器は、請求項１から６のいずれかに記載の開閉体の取手構造を、少なくともひとつのドアあるいはカバーの開閉構造に用いてなることを特徴とする。
【００１７】
同請求項８に係る画像形成装置は、画像形成部を備え、請求項１から６のいずれかに記載の開閉体の取手構造を、装置本体の少なくともひとつのドアあるいはカバーの開閉構造に用いてなることを特徴とする。
【００１８】
同請求項９に係る画像形成装置の周辺機器は、画像形成装置の周辺機器であって、請求項１から６のいずれかに記載の開閉体の取手構造を、機器本体の少なくともひとつのドアあるいはカバーの開閉構造に用いてなることを特徴とする。
【発明の効果】
【００１９】
本発明によれば、ドアやトレイのような開閉体のレバーにおいても、操作者が手や指の肉を挟んでしまうこと（以下、肉挟み、と称する。）がほとんどなく、怪我だけでなく、不快な思いをすることもなく、安全かつ安心して開閉操作ができるという効果がある。
【図面の簡単な説明】
【００２０】
【図１】画像形成装置の一例を示す外観図
【図２】図１に示す画像形成装置で用いられる操作用のレバーの一例とその動作を示す概念図
【図３】本発明の実施形態に係る開閉体の取手構造の図２相当の概念図
【図４】本発明に係る開閉体の取手構造の実施例１を示す斜視図
【図５】実施例１の構造でのロック状態（Ａ）とロック解除状態（Ｂ）を示す断面図
【図６】本発明の実施例２を示す断面図
【発明を実施するための形態】
【００２１】
操作者が開閉体のレバーを操作する際の肉挟みを防止するという目的を、レバーを握って引いた時に、レバーが操作対象となるドアやトレイの構造体の内側に引き込まれるのではなく、その外側に飛び出てくる構造とすることで、部品点数を増やすことなく、簡単な構造として実現した。
【００２２】
図３は、本発明の実施形態に係る開閉体の取手構造の図２相当の概念図である。基本的な構造は図２の構造と同様であり、給紙トレイ９を引き出し、あるいは給紙部８押し込む操作を行う時、操作者がその手１３でもってロックレバー１１の外方側（図３でも図の右側）を下方へ回動させ、図示しないロックを外し、操作するようになっているが、ロックレバー１１を押し下げる動作によってロックレバー１１の先端部１１ａが前カバー１０よりも外側へ出るため、図２のような隙間ができず、したがって、操作者の手２０の指先の肉や皮を引き込んでしまい、操作者の手２０や指２１の肉が挟まれて痛めてしまうことはない。もちろん、ロックレバー１１の先端部１１ａの下側と前カバー１０に隙間Ｂができるが、故意に挟むようにしないかぎり、あるいは手２０に何かを付着させていないかぎり、下側の隙間Ｂに挟まれる状態にはならない。
【００２３】
なお、画像形成ユニット１の前ドア１４の取手１５、大量給紙ユニット２の給紙段１６操作用の取手１７、排紙ユニット３の前ドア１８の取手１９なども、縦横が異なったりするものの、基本的には同様のものであり、その他の機器でも同様である。
【００２４】
なお、ロックレバー１１の先端部１１ａが前カバー１０よりも外側へ出るため、操作者にはこれが見え、ロックレバー１１が存在していることを意識して操作できるので、一層レバー操作が安全になる。なお、ロックレバー１１の先端部１１ａと前カバー１０の色を変える等すれば、一層目立つので操作者の意識付けには好ましい。
【実施例】
【００２５】
＜実施例１＞
図４は、本発明に係る開閉体の取手構造の実施例１を示す斜視図、図５は、実施例１の構造でのロック状態（Ａ）とロック解除状態（Ｂ）を示す断面図である。この実施例は単なる一例としてのものであるが、給紙トレイ９の前カバー１０に設けたスリット状の穴１０ａの内側上下それぞれに、本発明に係る開閉体の取手構造の実施例１の構造が設けてある。
【００２６】
図示の構造は、図３のロックレバー１１に相当する取手レバー上１１ａ、取手レバー下１１ｂそれぞれに、第１ブラケット上２１ａ、第１ブラケット上２１ｂ、第１ピン上２２ａ、第１ピン下２２ｂ、第２ブラケット上２３ａ、第２ブラケット下２３ｂ、回転軸上２４ａ、回転軸下２４ｂが連結してリンク機構を構成しており、両リンク機構は連動レバー２５とピン２６により連動するように連結してある。また第２ブラケット下２３ｂ、回転軸上２４ａは、それぞれ回転軸上２４ａ、回転軸下２４ｂに溝型状部分が乗っており、回転軸上２４ａ、回転軸下２４ｂの周りで回転可能にしてある。
【００２７】
なおピン２７は、給紙トレイ９の本体側のレール９ａ（図５参照）に乗っており、レール９ａ上を移動し、また、ガイドされるようになっている。また図中２８は、回転軸上２４ａを支持する固定部材、２９は化粧プレートで、取手レバー上１１ａ、取手レバー下１１ｂの背後（給紙トレイ９奥側）に位置する第１ピン上２２ａ、第１ピン下２２ｂ以下の構成部材を隠している。
【００２８】
次に本実施例の動作を説明する。
（１）取手レバー上１１ａを手前（図４で図の手前側：図５では図の左側）へ引き出す操作を行う。
（２）すると、取手レバー上１１ａに組みつけられた第１ブラケット上２１ａが図５（B)に示すように手前側に移動するため、第１ピン上２２ａを介してその移動が第２ブラケット上２３ａにも伝わり、第２ブラケット上２３ａも手前側へ移動しようとする。
（３）この時、第２ブラケット上２３ａには回転軸上２４ａの軸心を中心にして回転動作が起き、連動バー２５を図中上方へ持ち上げようとする。
（４）すると連動バー２５の動作によって回転軸下２４ｂａの軸心を中心にして回転動作が起き、ピン２６により第２ブラケット下２３ｂが上方へ持ち上がる。
（５）前記（４）の動きによりピン２７が上昇し、レール９ａに設けてあるストッパー（段部）９ｂを乗り越えることで、ロックが解除される。
【００２９】
なお、取手レバー下１１ｂを操作した場合は、前記（４）の動作がすぐ起きるので、前記（３）から（１）へ動作の伝達が逆方向へ行われる。すなわち、取手レバー上１１ａ、取手レバー下１１ｂのどちらを操作しても引き出し操作と、給紙トレイ９のロック解除が可能である。
【００３０】
このような動作を行う時、取手レバー上、下１１ａ、１１ｂがあることで給紙トレイ９の前カバー１０を軽く開けることができるだけでなく、取手レバー上、下１１ａ、１１ｂが前方へ出てくることで、図５からよく分かるように、隙間に手や指の皮膚、肉が挟まれる従来のような肉挟みが起きにくく、操作者が不快な思いをすることを防いで安全に前カバー１０を開けることができる。
【００３１】
＜実施例２＞
図６は、本発明の実施例２を示す断面図であり、例えば画像形成ユニット１の前ドア１４の取手１５等に採用可能な構造を示している。
【００３２】
図中３０は画像形成ユニット１の装置本体の構造材、３１は取手レバー、３２は取手レバー３１と連結してあるブラケットで、これらが前ドア１４の取手１５を構成している。構造材３０にはマグネット３３が設けてあり、ブラケット３２を吸着できるようにしてある。図中３４は、ブラケット３２に設けてある被吸着部（金具等）である。また３５は取手レバー３１の回転軸、３６はブラケット３２の回転軸である。
【００３３】
取手レバー３１とブラケット３２は図中符号Ｃで示す部分で連携するように組み合わせてある。また取手レバー３１の端部３１ａは、前ドア１４の開口部１４ａに臨ませてあり、外部から見えるように設けてある。
【００３４】
この実施例の動作を説明する。
（１）取手レバー上３１を手前（図６で図の下方）へ引き出す操作を行う。
（２）すると、取手レバー３１の端部３１ａが前ドア１４の開口部１４ａから外側へ出てくる。
（３）また、取手レバー３１と連携させてあるブラケット３２が図中のＣ部で取手レバー３１に押されることにより、取手レバー３１と連動して回転する。
（３）この時、ブラケット３２の被吸着部３４が構造材３０に設けてあるマグネット３３から離れ始める。
（４）ブラケット３２の被吸着部３４とマグネット３３が離れていって、マグネット３３と被吸着部３４の接触面積が小さくなると、マグネット３３による被吸着部３４の吸着力が弱まり、マグネット３３の磁力によるロックが解除される。
【００３５】
このような動作を行う時、取手レバー３１の端部３１ａと前ドア１４の開口部１４ａの間に隙間ができるが、図６からよく分かるように、この隙間に操作者が手や指を故意に差し入れないかぎり、従来のような肉挟みは起きにくく、操作者が不快な思いをすることを防いで安全に前カバー１０を開けることができる。
【００３６】
なお、前ドア１４を閉める時は、取手レバー３１を操作する必要はなく、前ドア１４を閉めるだけで上述の動作と逆動作が行われ、図６（Ｂ）の状態から図６（Ａ）の状態に戻る。
【符号の説明】
【００３７】
１：画像形成ユニット
９：給紙トレイ
９ａ：給紙トレイのレール
１０：前カバー
１０ａ：前カバーの穴
１１ａ：取手レバー上
１１ｂ：取手レバー下
１４：前ドア
１４ａ：前ドアの開口部
１５：取手
２１ａ：第１ブラケット上
２１ｂ：第１ブラケット上
２２ａ：第１ピン上
２２ｂ：第１ピン下
２３ａ：第２ブラケット上
２３ｂ：第２ブラケット下
２４ａ：回転軸上
２４ｂ：回転軸下
２５：連動レバー
２６：ピン
２７：ピン
２８：固定部材
２９：化粧プレート
３０：画像形成ユニットの装置本体の構造材
３１：取手レバー
３１ａ：取手レバーの端部
３２：ブラケット
３３：マグネット
３４：被吸着部
３５：取手レバーの回転軸
３６：ブラケットの回転軸
Ｃ：取手レバーとブラケットの連携部分
【先行技術文献】
【特許文献】
【００３８】
【特許文献１】特開2007-032141号公報
【特許文献２】特開2008-191428号公報
【図１】
2012208455.tif 000003
【図２】
2012208455.tif 000004
【図３】
2012208455.tif 000005
【図４】
2012208455.tif 000006
【図５】
2012208455.tif 000007
【図６】
2012208455.tif 000008